(57)【要約】      （修正有）【課題】テープの長さおよび幅を任意かつ安定した状態で切断することができるテープカッターを提供する。【解決手段】筐体にテープホルダーを装着および固定することのできる内部空間を設けるとともに、該内部空間をテープ保持空間とカッター保持空間で構成することによって、テープとテープカッターの簡易な装着脱を実現し、テープの長さおよび幅を任意かつ安定した状態で切断することができる。【選択図】図１
0003171878.tif 000002
【実用新案登録請求の範囲】
【請求項１】
テープが巻きつけられたテープホルダーと、前記テープホルダーを保持する筐体と、を備えたテープカッターであり、
前記筐体は、前記テープホルダーを保持するための第１の内部空間と、前記第１の内部空間と連通し、前記テープを縦方向に切断するための刃部を保持する第２の内部空間を設け、
前記テープホルダーの回転に伴って予め設定した幅に前記テープを切断することを特徴とするテープカッター。
【請求項２】
前記筐体を、第１の筐体部材と第２の筐体部材で構成したことを特徴とする請求項１記載のテープカッター。
【請求項３】
前記筐体の外部にテープを横方向に切断する刃を備え、前記テープホルダーの回転に伴って予め設定した幅で前記テープを切断するとともに、前記テープを横方向に切断する刃で切断することを特徴とする請求項１または２記載のテープカッター。
【請求項４】
前記第１の筐体部材および前記第２の筐体部材にそれぞれ第１の連結部材および第２の連結部材を設けたことを特徴とする請求項３記載のテープカッター。
【考案の詳細な説明】
【技術分野】
【０００１】
本考案は、テープカッター、例えば、シールテープを任意の長さおよび幅で切断することのできるテープカッターに関する。
【背景技術】
【０００２】
従来、下水管用パイプや継手などの配管部材を接合する際、パイプや継手内部を流れる液体などが外部に漏れることを防止し、高い密封性を得ることを目的として、液状シール材やシールテープなどの補填材が用いられる。一般的な作業手順としては、下水管用パイプや継手などの配管部材に対して、補填材を巻きつけ、所定の長さになった際に、切断手段、例えば、カッターナイフ、はさみなどを用いて補填材を切断し、配管部材を締付けることによって、配管部材を接合する。
【０００３】
また、一般的なテープを切断するテープカッターとしては、筐体（本体）内の円筒形状部にテープを挿入および保持するとともに、テープを任意の長さまで引き出した後、テープの引き出し方向に対して垂直に形成された刃に当接させ、テープを切断するテープカッターが知られている。さらに、テープの引き出し方向に対して垂直に形成された刃にテープの引き出し方向に対して水平な縦溝を形成するための刃を形成したことによって、テープの両端に縦の切込みを形成することのできるテープカッターが開示されている。
【先行技術文献】
【特許文献】
【０００４】
【特許文献１】特開２００８−３０７６３２
【考案の概要】
【考案が解決しようとする課題】
【０００５】
しかしながら、径の小さい配管部材に対してシールテープを巻きつける場合、ネジ溝に対して余分な幅の補填材を巻きつけるとシール不良が起こるため、予めシールテープを切断した上で接合作業を行う必要があった。
【０００６】
また、従来のテープカッターは、任意の長さでテープを切断することを目的としているため、幅の調整は、作業者が使用条件に対して目分量で調整しなければならない、といった課題があった。
【０００７】
さらに、異なる幅でテープを使用する場合、任意のテープ長さで切断した後、前記切断手段に加えて、測定手段、例えば、定規などを用いてテープ幅を調整することで効率の悪化を招くとともに、作業者の慣れによって作業効率および加工品質に影響を及ぼす、といった課題があった。
【０００８】
また、長さの長いテープを要する対象箇所にテープを巻きつける場合においては、連続的かつ長時間における幅の調整および切断が必要となり、作業者に負担が掛かるとともに、手を滑らせて手や指を切断手段で切ってしまう危険性がある、といった課題があった。
【課題を解決するための手段】
【０００９】
上記課題を解決するための手段としては、以下のとおりである。
【００１０】
請求項１記載のテープカッターは、テープが巻きつけられたテープホルダーと、前記テープホルダーを保持する筐体と、を備えたテープカッターであり、前記筐体は、前記テープのホルダーを保持するための第１の内部空間と、該第１の内部空間と連通し、前記テープを縦方向に切断するための刃部を保持する第２の内部空間を設け、前記テープホルダーの回転に伴って予め設定した幅に前記テープを切断することを特徴とする。
【００１１】
請求項２記載のテープカッターは、前記筐体を、第１の筐体部材と第２の筐体部材で構成したことを特徴とする。
【００１２】
請求項３記載のテープカッターは、前記筐体の外部にテープを横方向に切断する刃を備え、前記テープホルダーの回転に伴って予め設定した幅で前記テープを切断するとともに、前記テープを横方向に切断する刃で切断することを特徴とする。
【００１３】
請求項４記載のテープカッターは、前記第１の筐体部材および前記第２の筐体部材にそれぞれ第１の連結部材および第２の連結部材を設けたことを特徴とする。
【考案の効果】
【００１４】
このように構成された本考案によれば、筐体にテープホルダーを装着および保持することのできる内部空間を設けるとともに、該内部空間を第１の内部空間（テープ保持空間）と第２の内部空間（カッター保持空間）で構成することによって、テープとテープカッターの簡易な装着脱を実現し、テープの長さおよび幅を任意かつ安定した状態で切断することができる。
【００１５】
また、テープの長さおよび幅を同時に調整することによって、使用するテープの長さおよび幅のブレを低減することができる。さらに、切断手段を筐体内に備えたことによって、作業時間および効率を向上させることができ、特に、長時間使用した場合であっても作業者の怪我を招く確率を低下させることができる。
【図面の簡単な説明】
【００１６】
【図１】本考案のテープカッターの構成を説明するための図であり、（ａ）は本考案の側面図、（ｂ）は本考案の正面図、を示す。
【図２】本考案のテープカッターの内部構造を説明するための斜視図であり、（ａ）は第１の筐体部材、（ｂ）は第２の筐体部材、の詳細を示す。
【図３】本考案の別実施例の内部構造を説明するための斜視図であり、（ａ）は第１の筐体部材、（ｂ）は第２の筐体部材、の詳細を示す。
【図４】本考案の実施例を説明するための外観図である。
【考案を実施するための形態】
【００１７】
以下、本考案に係るテープカッターの好ましい実施形態について、図面を参照して説明する。
【００１８】
本発明の実施形態について説明する。図１は、本考案のテープカッターの構成を説明するための図であり、（ａ）は本考案の側面図、（ｂ）は本考案の正面図、を示す。本考案は、テープが巻きつけられたテープホルダー１と、テープホルダー１を保持する筐体２と、を備える。筐体２は、第１の筐体部材６と第２の筐体部材７で構成されており、左右対称の構造を有している。なお、筐体の材質としては、合成樹脂や金属など使用状況に応じて選択することができる。さらに、筐体の形状としては、持運びの頻度や保管スペースに応じて長方形状、楕円形状などを選択することができる。
【００１９】
図２は、本考案のテープカッターの内部構成を説明するための斜視図であり、（ａ）は第１の筐体部材６、（ｂ）は第２の筐体部材７、の詳細を示す。筐体２は、テープホルダー１を保持するための第１の内部空間４と、第１の内部空間４と連通し、テープを縦方向に切断するための刃部３を保持する第２の内部空間５を備えている。テープホルダー１は、例えば、テフロン（登録商標）製のテープが巻き付けてあるとともに、市販のテープ幅８ｍｍ、１３ｍｍなどを任意で選択することができ、筐体２内に設けた第１の内部空間４において保持される。
【００２０】
刃部３は、例えば、切断形状や切断幅などの条件に基づいて市販のカッターを選択することができ、筐体２内に設けた第２の内部空間５において保持される。刃部３はテープを引き出し方向に対して垂直（縦方向）に切断する。
【００２１】
第１の内部空間４と第２の内部空間５は連通しており、テープホルダー１のテープ面は刃部３と接触した状態で保持される。第１の内部空間の形状は、例えば、円柱形状を有したテープの保持を前提として、円柱形状の内部空間とすることができる。また、第２の内部空間の形状は、例えば、平行四辺形状のカッターの保持を前提として、平行四辺形状の内部空間とすることができる。
【００２２】
図３は、本考案の別実施例の内部構成を説明するための斜視図であり、（ａ）は第１の筐体部材６、（ｂ）は第２の筐体部材７、の詳細を示す。筐体２は、第１の筐体部材６と第２の筐体部材７から形成され、第１の筐体部材６および第２の筐体部材７にそれぞれ第１の連結部材８および第２の連結部材９を備える。そのため、第１の連結部材８と第２の連結部材９の嵌合によって第１の筐体部材７と第２の筐体部材８も嵌合する。第１の連結部材８と第２の連結部材９としては、ボルトとナット、凹部と凸部など、筐体２の材質やテープホルダーの使用用途に応じて選択することができる。さらに、第１の連結部材８と第２の連結部材９の嵌合性能を向上させることを目的として、第１の連結部材８と第１の連結部材９の表面にコーティングを施すこともできる。
【００２３】
また、幅の異なるテープであっても対応できるように、第１の内部空間４内におけるテープホルダー１の保持位置（幅）および第２の内部空間５内における刃部３の保持位置（幅）を調整することによって、テープの幅を調整することができる。例えば、第１の内部空間４に形成したテープホルダー１の一端または両端にスペーサーなどのテープホルダー保持部材を配置し、テープホルダー１が第１の内部空間４で刃部３と接触する位置を調整する。本考案のテープカッターで市販のテープ幅８ｍｍを幅４ｍｍに調整する場合、第１の筐体部材６および第２の筐体部材７の接合面を基準として、左右にそれぞれ幅４mmの位置で第１の内部空間４および第２の内部空間５におけるテープホルダー１の保持位置（幅）をテープホルダー保持部材で規制することによって、切断した際に、幅４ｍｍのテープを２本製作することができる。
【００２４】
また、厚みの異なるテープであっても対応できるように、第２の内部空間５内における刃部３の保持位置（高さ）を調整することによって、テープの溝深さを調整することができる。例えば、第２の内部空間の底にスペーサーなどの刀部保持部材を配置し、刃部３の保持位置（高さ）を調整する。刃部保持部材を配置し、刃部３の保持位置（高さ）を調整することによって、テープ溝深さを調整することができる。
【００２５】
なお、前記テープ幅および溝深さの調整を複合的に組み合わせることによって、より最適なテープを得ることができる。
【００２６】
図４は、本考案の別実施例を説明するための外観図である。別の実施例として、テープを引き出し方向に対して水平（横方向）に切断する刃１０を筐体２に設けることによって、刃部３による縦方向の切断を行った後、刃１０による横方向の切断を行い、一台のテープカッターで任意の幅および長さのテープを製作することができる。
【００２７】
本考案を用いた作業手順について説明する。まず、対象物に必要な長さおよび幅を計算する。例えば、下水管用パイプや継手に対し、パイプや継手内部に流れる液体などが外部に漏れることを防止し、高い密封性を得ることを目的として、パイプや継手の長さおよび幅を計算する。
【００２８】
次に、パイプや継手などの対象物に適した材質、厚さのテープおよび材質、刃先形状の刃部３を選択し、それぞれ第１の内部空間４および第２の内部空間５に配置する。
【００２９】
そして、テープホルダー１のテープ面を刃部３に押し付けながら回転させることによって、テープホルダー１に装着されているテープと刃部３が接触し、縦溝を形成する。縦溝を形成した状態のテープホルダー１を保管しておき、随時、使用したい長さのテープを切断し使用することができるとともに、別実施例に記載したように、テープホルダー１に形成した刃３を用いて、随時、テープを切断することもできる。
【００３０】
最後に、補填材を切断した後、配管部材を締付けることによって、継手内部を流れる液体などの漏れをなくすことによって配管部材を接合する。
【符号の説明】
【００３１】
１・・・テープホルダー（本体）
２・・・筐体
３・・・刃部
４・・・第１の内部空間
５・・・第２の内部空間
６・・・第１の筐体部材
７・・・第２の筐体部材
８・・・第１の連結部材
９・・・第２の連結部材
１０・・刃
【図１】
0003171878.tif 000003
【図２】
0003171878.tif 000004
【図３】
0003171878.tif 000005
【図４】
0003171878.tif 000006